(57)【特許請求の範囲】
【請求項１】
被吸引物を吸引する吸引装置に用いられる吸引ノズルであって、
吸引口を有するノズルヘッド部と、
前記吸引口の開口領域を覆って設けられ、複数の開口部および複数の突起部を有するパネルと、
前記吸引口の開口領域の全てを塞がずに該吸引口の開口領域面内で前記パネルに設けられた静電気除去シートと
を備えていることを特徴とする吸引ノズル。
【請求項２】
請求項１記載の吸引ノズルにおいて、
前記パネルが、前記吸引口の外側の方向に膨らんで湾曲しており、
前記静電気除去シートが、湾曲した前記パネルの裾部に設けられていることを特徴とする吸引ノズル。
【請求項３】
請求項１または２記載の吸引ノズルにおいて、
前記複数の突起部が、前記静電気除去シートに隣接するように設けられていることを特徴とする吸引ノズル。
【請求項４】
請求項１〜３のいずれか一項に記載の吸引ノズルにおいて、
前記複数の突起部が、円錐状に突起していることを特徴とする吸引ノズル。
【請求項５】
請求項１〜４のいずれか一項に記載の吸引ノズルにおいて、
前記パネルに設けられ、アース接続された導体を備えており、
前記静電気除去シートが、前記導体と接して前記パネルに設けられていることを特徴とする吸引ノズル。
【請求項６】
請求項１〜５のいずれか一項に記載の吸引ノズルにおいて、
一端部が吸引装置本体側に取り付けられ、他端部が前記ノズルヘッド部に回動可能に取り付けられるノズルネック部を備えており、
前記ノズルネック部は、中途部が曲折していることを特徴とする吸引ノズル。
【請求項７】
請求項１〜６のいずれか一項に記載の吸引ノズルにおいて、
前記静電気除去シートが、導電性高分子で被覆された繊維シートであることを特徴とする吸引ノズル。
【請求項８】
請求項１〜７のいずれか一項に記載の吸引ノズルと、筐体内部に設けられ、吸引力を発生させる電動ファンと、基幹部が前記筐体に取り付けられ、先端部が前記吸引ノズルに取り付けられた吸引導管と、を備えた吸引装置において、
前記電動ファンの吸引力によって前記吸引導管および前記吸引ノズルを介して前記吸引口から被吸引物を吸引することを特徴とする吸引装置。
【発明の詳細な説明】
【技術分野】
【０００１】
本発明は、吸引ノズルおよびこれを備えた吸引装置に適用して有効な技術に関する。
【背景技術】
【０００２】
実用新案登録第３０８６６６８号（特許文献１）には、衣類に付いた塵埃を吸引管の先端開口から吸引する衣類用塵埃除去装置が記載されている。この衣類用塵埃除去装置では、吸引管の先端開口の周縁に多数の糸状体が植え付けられてブラシが構成されている。
【０００３】
実用新案登録第３１２７０６２号（特許文献２）には、電気掃除機の吸引導管の先端に取り付けて使用する吸引ノズルが記載されている。この吸引ノズルの吸引口の周縁部では、棒状の合成ゴムから形成された掃き寄せ体（ブラシ毛）が多数植設されている。このため、掃き寄せの際に生じる静電気によって、塵埃を掃き寄せ体に付着させることができる（特許文献２の明細書段落［０００９］参照）。
【先行技術文献】
【特許文献】
【０００４】
【特許文献１】実用新案登録第３０８６６６８号
【特許文献２】実用新案登録第３１２７０６２号
【発明の概要】
【発明が解決しようとする課題】
【０００５】
ブラシが設けられた吸引ノズルでは、清掃面上の塵埃、髪の毛、糸などの被吸引物を清掃する際、静電気によって被吸引物がブラシに付着してしまい（特許文献２の明細書段落［００１１］参照）、被吸引物を吸引する効果が高いとはいえない。また、静電気によって塵埃をブラシに付着させる吸引ノズルを用いた場合、ブラシと被吸引物との間の静電気力に抗して吸引装置の出力（吸引力）を高める必要があり、消費電力が高くなってしまうことが考えられる。
【０００６】
本発明の目的は、被吸引物を吸引する効果が高い吸引ノズルを提供することにある。また、本発明の他の目的は、消費電力を抑制することができる吸引装置を提供することにある。本発明の前記ならびにその他の目的と新規な特徴は、本明細書の記述および添付図面から明らかになるであろう。
【課題を解決するための手段】
【０００７】
本願において開示される発明のうち、代表的なものの概要を簡単に説明すれば、次のとおりである。
【０００８】
吸引ノズルについての本発明の一解決手段は、被吸引物を吸引する吸引装置に用いられる吸引ノズルであって、吸引口を有するノズルヘッド部と、前記吸引口の開口領域の全てを塞がずに該吸引口の開口領域面内に設けられた静電気除去シートとを備えていることを特徴とする。
【０００９】
これによれば、例えば、静電気によって被吸引物が衣類に付着していたとしても、吸引ノズルを帯電物（衣類あるいは被吸引物）に接近あるいは接触させることで、静電気除去シートによって静電気を除去してから、容易に被吸引物を吸引することができる。また、静電気を除去するので、静電気によって被吸引物が吸引ノズルへ付着するのを防止することができる。
【００１０】
また、前記吸引ノズルとして、前記吸引口の開口領域を覆って設けられ、複数の開口部を有するパネルを備えており、前記静電気除去シートが、前記パネルに設けられていることを特徴とする。これによれば、例えば、衣類（布）に付着した被吸引物を吸引ノズルで吸引する際に、パネルによって衣類の吸い込みを抑制し、衣類を吸い込んでいかないようにすることができる。
【００１１】
また、前記吸引ノズルとして、前記パネルが、前記吸引口の外側の方向に膨らんで湾曲しており、前記静電気除去シートが、湾曲した前記パネルの頂部に設けられていることを特徴とする。これによれば、被吸引物を吸引ノズルで吸引する際に、静電気除去シートを先に帯電物へ接近あるいは接触させ易くなる。また、被吸引物が付着している衣類（布）の清掃面に対してパネルが膨らんで（突き出て）湾曲しているので、すべての吸引口が衣類で塞がれない。そのため、吸引ノズルが衣類に張り付いて動かなくなることを防いでいる。
【００１２】
また、前記吸引ノズルとして、前記静電気除去シートに隣接して前記パネルにエンボスが設けられていることを特徴とする。これによれば、例えば、髪の毛や糸くずのような被吸引物を吸引ノズルで吸引する際に、エンボスによって静電気除去シートの近傍で被吸引物を引っ掛けて保持させ、静電気除去シートによって静電気を除去してから容易に被吸引物を吸引することができる。
【００１３】
また、前記吸引ノズルとして、一端部が吸引装置本体側に取り付けられ、他端部が前記ノズルヘッド部に回動可能に取り付けられるノズルネック部を備えており、前記ノズルネック部は、中途部が曲折していることを特徴とする。これによれば、例えば、使用者の腕や背中に対しても無理なく吸引ノズルを接近または接触させることができる。
【００１４】
また、前記吸引ノズルとして、前記静電気除去シートが、導電性高分子で被覆された繊維シートであることを特徴とする。これによれば、例えば、静電気によって被吸引物が付着している衣類（帯電物）に吸引ノズルを近接または接触させることで、繊維先端が避雷針となってコロナ放電が起こり、その発生したイオンで帯電物のイオンを中和することができる。すなわち、帯電物の静電気を除去することができる。
【００１５】
また、前記吸引ノズルとして、前記パネルに設けられ、アース接続された導体を備えており、前記静電気除去シートが、前記導体と接して前記パネルに設けられていることを特徴とする。これによれば、帯電物に静電気除去シートを接触させて、アースを介して静電気を除去することができるので、容易に被吸引物を吸引することができる。また、吸引後の静電気の発生を防止し、塵埃が衣類などの清掃面に付着する（戻る）のを防止することができる。
【００１６】
吸引装置についての本発明の一解決手段は、前記吸引ノズルと、筐体内部に設けられ、吸引力を発生させる電動ファンと、基幹部が前記筐体に取り付けられ、先端部が前記吸引ノズルに取り付けられた吸引導管と、を備え、前記電動ファンの吸引力によって前記吸引導管および前記吸引ノズルを介して前記吸引口から被吸引物を吸引することを特徴とする。
【００１７】
これによれば、例えば、静電気によって被吸引物が衣類に付着していたとしても、電動ファンの出力を高めずに容易に被吸引物を吸引することができる。すなわち、吸引装置の消費電力を抑制することができる。
【発明の効果】
【００１８】
本願において開示される発明のうち、代表的なものによって得られる効果を簡単に説明すれば次のとおりである。本発明における吸引ノズルによれば、被吸引物を吸引する効果を高めることができる。また、本発明における吸引装置によれば、消費電力を抑制することができる。
【図面の簡単な説明】
【００１９】
【図１】本発明の一実施形態における吸引ノズルを備えた吸引装置の構成を説明するための図である。
【図２】図１に示す吸引ノズルの吸引口側を捉えて視た斜視図である。
【図３】図１に示す吸引ノズルの可動部を捉えて視た斜視図である。
【図４】図２に示す吸引ノズルの吸引口側を捉えて視た要部の平面図である。
【図５】図４に示すＡ−Ａ線における吸引ノズルの断面図である。
【図６】図４に示すＢ−Ｂ線における吸引ノズルの断面図である。
【図７】図５に示す円Ｃにおける吸引ノズルを拡大した断面図である。
【図８】図６に示す円Ｄにおける吸引ノズルを拡大した断面図である。
【発明を実施するための形態】
【００２０】
以下の本発明における実施形態では、必要な場合に複数のセクションなどに分けて説明するが、原則、それらはお互いに無関係ではなく、一方は他方の一部または全部の変形例、詳細などの関係にある。このため、全図において、同一の機能を有する部材には同一の符号を付し、その繰り返しの説明は省略する。
【００２１】
また、構成要素の数（個数、数値、量、範囲などを含む）については、特に明示した場合や原理的に明らかに特定の数に限定される場合などを除き、その特定の数に限定されるものではなく、特定の数以上でも以下でも良い。また、構成要素などの形状に言及するときは、特に明示した場合および原理的に明らかにそうではないと考えられる場合などを除き、実質的にその形状などに近似または類似するものなどを含むものとする。
【００２２】
まず、本発明の実施形態における吸引ノズル１０を備えた吸引装置３０について、特に図１を参照して説明する。図１は、吸引装置３０の構成を説明するための図である。図１では、吸引装置３０の本体を構成する筐体３１内部を透視して示している。
【００２３】
吸引装置３０は、吸引ノズル１０と、筐体３１内部に設けられた電動ファン３２と、基幹部が筐体３１と連通し、先端部が吸引ノズル１０と連通して取り付けられた吸引導管３３と、吸引ノズル１０の基幹部側と集塵口が連通して取り付けられた集塵袋３４とを備えている。吸引導管３３（例えば、ホース）の基幹部（一端部）と筐体３１との取り付け、および吸引導管３３の先端部（他端部）と吸引ノズル１０との取り付けは、例えば、ねじ込み式に螺合させて行われる。
【００２４】
吸引装置３０は、その用途や能力などによって、設置型やポータブル型の形態をとることができる。設置型の場合は、筐体３１を床に設置したり、壁に設置したりすることができる。なお、アースを確保する場合、筐体３１を介して大地で行うことができる。
【００２５】
この吸引装置３０は、電動ファン３２の駆動により発生した吸引力によって、吸引口１０ａから被吸引物をエアとともに吸引する。そして、吸引装置３０は、吸引ノズル１０および吸引導管３３を介して集塵袋３４で被吸引物を集塵しながら、エアを筐体３１に設けられた排気口（図示せず）から排気する。なお、本実施形態では、使用者の衣類（清掃面）に付着している被吸引物（例えば、塵埃、髪の毛、糸くずなど）を吸引して清掃するために吸引装置３０を用いる場合について説明する。
【００２６】
次に、本発明の実施形態における吸引ノズル１０について、特に図２〜図８を参照して説明する。図２は、吸引ノズル１０の吸引口１０ａ側を捉えて視た斜視図である。また、図３は、吸引ノズル１０の可動部２０を捉えて視た斜視図である。また、図４は、吸引ノズル１０の吸引口１０ａ側を捉えて視た要部の平面図である。ここで、本願では、吸引口１０ａの周縁部を含んで開口している領域を吸引口１０ａの開口領域としている。また、図５および図６はそれぞれ、図４に示すＡ−Ａ線およびＢ−Ｂ線における吸引ノズル１０の断面図である。また、図７および図８はそれぞれ、図５に示す円Ｃおよび図６に示す円Ｄにおける吸引ノズル１０を拡大した断面図である。
【００２７】
本実施形態における吸引ノズル１０は、平面視矩形状の吸引口１０ａを有するノズルヘッド部１１と、一端部が吸引導管３３の先端部に、他端部がノズルヘッド部１１に回動可能に取り付けられ、中途部が曲折しているノズルネック部１２とを備えている。すなわち、吸引ノズル１０は、ノズルヘッド部１１が首振り機能を有するようにノズルネック部１２の先端部（可動部２０）で回動可能となっている。また、ノズルネック部１２は、図５に示すように、ノズルネック部１２の長さ方向が吸引口１０ａの平面視矩形状（図４参照）の長手方向と一致し、ノズルネック部１２の他端部にノズルヘッド部１１が回動可能に設けられている。
【００２８】
このため、例えば、使用者の腕や背中のような曲面にある衣類（清掃面）であっても、吸引口１０ａの開口領域面（接触面）を曲面に沿って接近または接触させながら、吸引ノズル１０を動かすことができる。また、ノズルネック部１２に角度をつけることで、使用者の肩をよけながら、使用者の腕や背中を掃除することができ、ストレート状のものよりも広範囲にノズルヘッド部１１を届けることができる。例えば、一方の手に吸引ノズル１０を持ち、他方の腕を清掃することができる。
【００２９】
中途部が曲折しているノズルネック部１２では、筐体３１側の一端部から中途部までと、この中途部からノズルヘッド部１１側の他端部までとは、それらの長手方向（延在方向）が角度θ１（図１参照）で曲折している。角度θ１としては、例えば、２５度〜３０度の範囲内で設定して固定している。また、ノズルヘッド部１１は、ノズルネック部１２の中途部から他端部までの長手方向に対する角度θ２、θ３（図１参照）の範囲で回動軸Ｏを中心に回動する。角度θ２、θ３としては、例えば、共に１５度とすることができる。このような構成の吸引ノズル１０とすることで、ノズルヘッド部１１の吸引口１０ａの開口領域面を使用者の腕や背中に無理なく接近または接触させることができる。
【００３０】
本実施形態における吸引ノズル１０は、吸引口１０ａを覆って設けられたパネル１３と、パネル１３の外側に設けられた静電気除去シート１４とをさらに備えている。パネル１３は、フレーム部１３ａと複数の開口部１３ｂ（吸引口１０ａより小さな吸引口となる）とを有している。本実施形態では、パネル１３のうち、開口部１３ｂが形成されていない部分をフレーム部１３ａとしている。パネル１３は、その外側面（吸引口１０ａの内部側とは反対側の面）が使用者の衣類と接触する接触面となっている。このような吸引ノズル１０を用いることで、パネル１３（フレーム部１３ａ）の外側に設けられている静電気除去シート１４を使用者の衣類と接触させることができる。
【００３１】
静電気除去シート１４は、パネル１３（吸引口１０ａの開口領域）の中央において吸引口１０ａの平面視矩形状の長手方向に延在してフレーム部１３ａに固定して設けられている。静電気除去シート１４が設けられたフレーム部１３ａの長手方向の両側それぞれには、開口部１３ｂが格子状に設けられている。開口部１３ｂは、吸引口１０ａの長手方向に延在する形状で、フレーム部１３ａ（パネル１３）の厚さ方向に貫通して形成されている。このように、静電気除去シート１４が吸引口１０ａの開口領域面内に設けられている。しかしながら、吸引口１０ａの全開口領域を塞がずに静電気除去シート１４を設けているので、各開口部１３ｂを通じて被吸引物を吸引することができる。
【００３２】
また、図５に示すように、吸引ノズル１０では、回転軸Ｏを有するノズルネック部１２の他端部と吸引ノズル１０の接触面（例えば、吸引口１０ａの開口領域に設けられている静電気除去シート１４の表面）との距離が長くなるように、深い開口部１０ａを設けている。浅いものに比べて深い開口部１０ａとすることで、広範囲に被吸引物を吸引することができる。
【００３３】
静電気除去シート１４として、本実施形態では、導電性高分子（例えば、電子共役系導電性高分子）で被覆された繊維シート（例えば、超極細ポリエステルとポリアミドから構成されたもの）を用いている。例えば、静電気によって被吸引物が付着している衣類（帯電物）に吸引ノズル１０を近接または接触させることで、繊維先端部（または突起部）が避雷針となってコロナ放電が起こり、プラスイオンとマイナスイオンが発生する。この発生した一方の極のイオンで帯電物の他方の極のイオンを中和することができる。
【００３４】
静電気を中和・除去するために、例えばイオナイザなどの装置を用いることも考えられるが、静電気除去シート１４を用いることで吸引ノズル１０を簡易な構成とすることができる。また、清掃面（帯電物）に対して、イオナイザではイオン化されたエアが点状に照射されるが、静電気除去シート１４では面状であるので、簡易で広範囲に静電気を中和・除去することができる。さらに、吸引装置３０は、静電気除去シート１４を用いることで、イオナイザが消費する電力分を抑制したものとなる。
【００３５】
吸引ノズル１０がこのような静電気除去シート１４を備えていることで、例えば、静電気によって被吸引物が衣類に付着していたとしても、吸引ノズル１０を帯電物（衣類あるいは被吸引物）に接近あるいは接触させることで、静電気除去シート１４によって静電気を除去することができる。静電気が除去されることで、衣類に付着している被吸引物を容易に吸引することができる。
【００３６】
このため、静電気によって被吸引物が衣類に付着していたとしても、電動ファン３２の出力を高めずに容易に被吸引物を吸引することができる。すなわち、吸引装置３０の消費電力を抑制することができる。
【００３７】
また、静電気によって被吸引物が清掃している吸引ノズル１０に付着することも防止することができる。このため、吸引ノズル１０の清掃作業を簡略化することができて、作業効率を高めることができる。また、複数の開口部１３ｂを有するパネル１３で吸引口１０ａを覆って設けることで、被吸引物を吸引ノズル１０で吸引する際に、パネル１３によって衣類の吸い込みを抑制し、衣類を吸い込んでいかないようにしている。
【００３８】
また、本実施形態では、パネル１３が吸引口１０ａの外側に膨らんで湾曲しており（言い換えると、曲面となるように形成されており）、その湾曲したパネル１３のフレーム部１３ａの頂部に静電気除去シート１４を設けている。これによれば、例えば、衣類に付着している被吸引物を吸引ノズル１０で吸引する際に、静電気除去シート１４を先に接近あるいは接触させ易くなる。また、被吸引物が付着している衣類（布）の清掃面に対してパネル１３が膨らんで（突き出て）湾曲しているので、すべての開口部１３ｂが衣類で塞がれない。そのため、吸引ノズル１０が衣類に張り付いて動かなくなることを防いでいる。
【００３９】
ところで、本実施形態では、静電気除去シート１４に隣接するように、その長手方向の両側のフレーム部１３ａに複数のエンボス１５（突起部）を設けている。これによれば、例えば、髪の毛や糸くずのような被吸引物を吸引ノズル１０で吸引する際に、エンボス１５によって静電気除去シート１４の近傍で被吸引物を引っ掛けて保持させ、静電気除去シート１４によって静電気を除去してから容易に被吸引物を吸引することができる。
【００４０】
エンボス１５を設けるにあたり、エンボス１５の高さを変えて、髪の毛や糸くずのような被吸引物を吸引するし易さについて説明する。布を衣類とみなして、この布に所定長さの糸くずを１０本のせて、清掃面に沿って糸くずを掃き出すように吸引ノズル１０を動かして、全ての糸くずを吸引するのに掛かった平均回数の比較を行った。なお、吸引ブラシ１０の掃き出し（擦る）方向は、静電気除去シート１４の長手方向と直交する方向としている。
【００４１】
その結果、エンボス１５の高さ０．０ｍｍ（エンボスなし）のときは１０．３回、０．５ｍｍのときは６．０回、高さ１．０ｍｍのときは６．６回、高さ２．０ｍｍのときは９．０回であった。これから、エンボス１５を設けることで髪の毛や糸くずを吸引する吸引効率が高くなるが、エンボス１５の高さを高くしすぎると吸引効率は低下してしまうことがわかった。
【００４２】
また、エンボス１５の形状を変えて同様の比較を行ったところ、円柱状よりも円錐状とした場合に、使用の際に衣類への引っ掛かりが少なくなり、吸引ノズル１０を動かしやすくなる。すなわち、清掃の効率を向上することができる。
【００４３】
このように、エンボス１５を設けることで、吸引ノズル１０に髪の毛などが引っ掛かり易くなるが、エンボス１５には、高さを含めた最適な形状があることを本発明者らは見出している。また、静電気除去シート１４に近接してエンボス１５を設けることが吸引効率を高める上で有効であることを本発明者らは見出している。
【００４４】
ところで、衣類に付着している塵埃などの被吸引物を吸引する際、静電気除去シート１４が設けられたパネル１３の接触面で清掃面を擦ることも考えられる。このため、静電気除去シート１４の摩耗が起こる。そこで、本実施形態では、静電気除去シート１４を交換するために、静電気除去シート１４が設けられるパネル１３ごと交換可能な構造を採用している。
【００４５】
具体的には、平面視矩形状のパネル１３の一方の短手に引っ掛け部１６が設けられており、これに対応する受け部１１ａがノズルヘッド部１１に設けられている。この引っ掛け部１６は、弾性作用を有する形状のＵ字部１６ａと、その外側に形成された爪部１６ｂとを有しており、Ｕ字部１６ａが挿入されるノズルヘッド部１１の穴部内壁から突起する受け部１１ａに引っ掛けられている。また、パネル１３の他方の短手には爪状の引っ掛け部が設けられており、これに対応する穴状の受け部がノズルヘッド部１１に設けられている。
【００４６】
ノズルヘッド部１１にパネル１３を取り付ける（組み込み）には、まず、引っ掛け部１６とは反対側のパネル１３の引っ掛け部（図示せず）を、これに対応するノズルヘッド部１１の受け部に引っ掛ける。次いで、パネル１３の引っ掛け部１６を、Ｕ字部１６ａをしならせて爪部１６ｂをノズルヘッド部１１の受け部１１ａに引っ掛ける。なお、取り外すには、取り付けの逆の手順で行えばよい。
【００４７】
このようなパネル構造とすれば、工具なしで交換可能である。したがって、交換作業の効率を高めることができる。
【００４８】
また、本実施形態における吸引ノズル１０は、パネル１３のフレーム部１３ａに設けられ、アース接続された導体２１を備えている。この導体２１に接して静電気除去シート１４が、フレーム部１３ａに設けられている。図５、図６に示すように、導体２１は、例えば、銅板、アルミニウム板、ステンレス鋼板などの金属板をＵ字溝の形状となるように加工されたものである。このＵ字溝（導体２１）は、底面および側面の外側が覆われるように、静電気除去シート１４が貼り付けられている。そして、静電気除去シート１４で覆われた導体２１が、パネル１３のフレーム１３ａで形成された凹部１３ｃにはめ込まれる。これにより、静電気除去シート１４が、凹部１３ｃの内壁とＵ字溝（導体２１）の側面とで挟まれて固定される。なお、固定の際には、接着剤あるいはネジを用いることができる。
【００４９】
ここで、導体２１（Ｕ字溝）は、端面側から突起する爪部１７を有するように形成されている。このため、パネル１３をノズルヘッド部１１へ組み込む際に、図７に示すように、爪部１７がアース用のコンタクト部２２と接触することとなる。このコンタクト部２２は、例えば、筐体３１と導通している。すなわち、導体２１がアース接続されている。したがって、本実施形態では、導体２１に接触している静電気除去シート１４が、アース接続されたものとなっている。
【００５０】
これによれば、吸引後の静電気を防止し、塵埃が衣類などの清掃面に付着する（戻る）のを防止することができる。また、例えば、静電気によって被吸引物が付着している衣類などの清掃面に、吸引ノズル１０の静電気除去シート１４を接触させて、アースで静電気を除去することもでき、容易に被吸引物を吸引することができる。なお、前述したように、静電気除去シート１４に導電性繊維シートを用いた場合には、アースをとらなくとも、帯電物の静電気を中和・除去することができ、吸引ノズル１０を簡易な構成とすることができる。
【００５１】
また、本実施形態における吸引ノズル１０は、導体２１の両端部側のそれぞれの位置にエッジガード部２３を備えている（図４参照）。このエッジガード部２３は、パネル１３のフレーム部１３ａから盛り上がるように形成され、図８に示すように、パネル１３に組み込まれた導体２１よりも高いものとなっている。このため、吸引ノズル１０で衣類などの清掃面を擦る際に、Ｕ字溝の導体２１の端部で衣類が破かれるのを防止することができる。
【００５２】
以上、本発明を前記実施形態に基づき具体的に説明したが、本発明は前記実施形態に限定されるものではなく、その要旨を逸脱しない範囲で種々変更可能であることはいうまでもない。
【００５３】
他の実施形態として、パネルを設けずに吸引口の周縁部に静電気除去シートを設ける場合であっても、帯電物の静電気を除去しながら被吸引物を吸引することができる。この点、前記実施形態で説明したように、パネルで吸引口を覆い、そのパネルに静電気除去シートを設けることで、例えば、衣類に被吸引物が付着しているような場合であっても、衣類の吸い込みを防止する効果も得ることができる。
【００５４】
前記実施形態では、湾曲したパネルのフレーム部の頂部に静電気除去シートを設けた場合について説明した。これに限らず他の実施形態として、更に、フレーム部の頂部以外（例えば、裾部）に静電気除去シートを設けることで、広範囲で静電気を除去しながら被吸引物を吸引することができる。すなわち、清掃面に対して吸引ノズルを使用する方向（清掃方向）において、吸引ノズルが最初に当たる部分（例えば、フレーム部の裾部）に静電気除去シートを設けることで、静電気除去シートを先に接触させやすくなる。
【００５５】
他の実施形態として、静電気除去シートから離れたフレーム部にエンボスを設ける場合であっても、髪の毛や糸などの被吸引物を引っ掛けて吸引することができる。この点、前記実施形態で説明したように、静電気除去シートに隣接してエンボスを設けることで、エンボスに被吸引物が引っ掛かることによる摩擦で発生した静電気をその場で除去することができ、より吸引し易くなる効果も得ることができる。
【００５６】
前記実施形態では、使用者の腕、背中などのような曲面の被吸引物を吸引するために、曲折したノズルネック部の一端部に回動可能にノズルヘッド部を設けた場合について説明した。これに限らず他の実施形態として、床などの平面の被吸引物を吸引する場合には、ノズルネック部をストレート状としたり、ノズルヘッド部をノズルネック部に固定したりすることができる。
【００５７】
前記実施形態では、静電気除去シートとして導電性高分子で被覆された繊維シートを用いた場合について説明した。これに限らず他の実施形態として、導電性ゴムシートを用いることができる。導電性ゴムシートを用いる場合は、アースと接続された導体に導電性ゴムシートを接触させた吸引ノズルとする。例えば、静電気によって被吸引物が衣類に付着していたとしても、静電気除去シートを帯電物（衣類あるいは被吸引物）に接触させることで、アースを介して静電気を除去して、容易に被吸引物を吸引することができる。
【００５８】
前記実施形態では、吸引装置の吸引力を発生させるものとして電動ファンを用いた場合について説明した。これに限らず、手動ファンを用いることができる。手動ファンを用いた場合であっても、例えば、静電気によって被吸引物が衣類に付着していたとしても、容易に被吸引物を吸引することができる。
【符号の説明】
【００５９】
１０  吸引ノズル
１０ａ  吸引口
１１  ノズルヘッド部
１２  ノズルネック部
１３  パネル
１３ａ  フレーム部
１３ｂ  開口部
１３ｃ  凹部
１４  静電気除去シート
１５  エンボス
１６  引っ掛け部
１６ａ  Ｕ字部
１６ｂ  爪部
１７  爪部
２０  可動部
２１  導体
２２  コンタクト部
２３  エッジガード部
３０  吸引装置
３１  筐体
３２  電動ファン
３３  吸引導管
３４  集塵袋
【要約】
【課題】被吸引物を吸引する効果が高い吸引ノズルを提供する。
【解決手段】被吸引物を吸引する吸引装置３０に用いられる吸引ノズル１０は、吸引口１０ａを有するノズルヘッド部１１と、吸引口１０ａの開口領域の全てを塞がずに該吸引口１０ａの開口領域面内に設けられた静電気除去シート１４と吸引口１０ａの開口領域を覆って設けられ、複数の開口部１３ｂとを有するパネル１３を備えている。そして、静電気除去シート１４が、パネル１３に設けられている。
【選択図】図２【図１】
0005383895.tif 000002
【図２】
0005383895.tif 000003
【図３】
0005383895.tif 000004
【図４】
0005383895.tif 000005
【図５】
0005383895.tif 000006
【図６】
0005383895.tif 000007
【図７】
0005383895.tif 000008
【図８】
0005383895.tif 000009